【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動き補償予測を用いて前記動画像が符号化された符号化ビット列を復号する動画像復号装置であって、
予め指定されたインター予測情報候補の数を示す情報を復号する予測情報復号部と、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出部と、
前記導出されたインター予測情報候補からインター予測情報候補リストを構築する候補リスト構築部と、
構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充部と、
前記インター予測情報候補から１つのインター予測情報候補を選択して、その選択されたインター予測情報候補により前記復号対象の予測ブロックのインター予測を行う動き補償予測部と
を備えることを特徴とする動画像復号装置。
【請求項２】
動画像の各ピクチャを分割したブロック単位で動き補償予測を用いて前記動画像が符号化された符号化ビット列を復号する動画像復号方法であって、
予め指定されたインター予測情報候補の数を示す情報を復号する予測情報復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、
前記導出されたインター予測情報候補からインター予測情報候補リストを構築する候補リスト構築ステップと、
構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、
前記インター予測情報候補から１つのインター予測情報候補を選択して、その選択されたインター予測情報候補により前記復号対象の予測ブロックのインター予測を行う動き補償予測ステップと
を備えることを特徴とする動画像復号方法。
【請求項３】
動画像の各ピクチャを分割したブロック単位で動き補償予測を用いて前記動画像が符号化された符号化ビット列を復号する動画像復号プログラムであって、
予め指定されたインター予測情報候補の数を示す情報を復号する予測情報復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、
前記導出されたインター予測情報候補からインター予測情報候補リストを構築する候補リスト構築ステップと、
構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、
前記インター予測情報候補から１つのインター予測情報候補を選択して、その選択されたインター予測情報候補により前記復号対象の予測ブロックのインター予測を行う動き補償予測ステップと
をコンピュータに実行させることを特徴とする動画像復号プログラム。
【請求項４】
動画像が符号化された符号化ビット列を受信して復号する受信装置であって、
動画像の各ピクチャを分割したブロック単位で動き補償予測を用いて前記動画像が符号化された符号化ビット列がパケット化された符号化ストリームを受信する受信部と、
受信された前記符号化ストリームをパケット処理して元の符号化ビット列を復元する復元部と、
復元された前記符号化ビット列から、予め指定されたインター予測情報候補の数を示す情報を復号する予測情報復号部と、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出部と、
前記導出されたインター予測情報候補からインター予測情報候補リストを構築する候補リスト構築部と、
構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充部と、
前記インター予測情報候補から１つのインター予測情報候補を選択して、その選択されたインター予測情報候補により前記復号対象の予測ブロックのインター予測を行う動き補償予測部と
を備えることを特徴とする受信装置。
【請求項５】
動画像が符号化された符号化ビット列を受信して復号する受信方法であって、
動画像の各ピクチャを分割したブロック単位で動き補償予測を用いて前記動画像が符号化された符号化ビット列がパケット化された符号化ストリームを受信する受信ステップと、
受信された前記符号化ストリームをパケット処理して元の符号化ビット列を復元する復元ステップと、
復元された前記符号化ビット列から、予め指定されたインター予測情報候補の数を示す情報を復号する予測情報数復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、
前記導出されたインター予測情報候補からインター予測情報候補リストを構築する候補リスト構築ステップと、
構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、
前記インター予測情報候補から１つのインター予測情報候補を選択して、その選択されたインター予測情報候補により前記復号対象の予測ブロックのインター予測を行う動き補償予測ステップと
を備えることを特徴とする受信方法。
【請求項６】
動画像が符号化された符号化ビット列を受信して復号する受信プログラムであって、
動画像の各ピクチャを分割したブロック単位で動き補償予測を用いて前記動画像が符号化された符号化ビット列がパケット化された符号化ストリームを受信する受信ステップと、
受信された前記符号化ストリームをパケット処理して元の符号化ビット列を復元する復元ステップと、
復元された前記符号化ビット列から、予め指定されたインター予測情報候補の数を示す情報を復号する予測情報数復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、
前記導出されたインター予測情報候補からインター予測情報候補リストを構築する候補リスト構築ステップと、
構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、
前記インター予測情報候補から１つのインター予測情報候補を選択して、その選択されたインター予測情報候補により前記復号対象の予測ブロックのインター予測を行う動き補償予測ステップと
をコンピュータに実行させることを特徴とする受信プログラム。
【手続補正２】
【補正対象書類名】明細書
【補正対象項目名】００１５
【補正方法】変更
【補正の内容】
【００１５】
動画像の各ピクチャを分割したブロック単位で動き補償予測を用いて前記動画像が符号化された符号化ビット列を復号する動画像復号装置であって、予め指定されたインター予測情報候補の数を示す情報を復号する予測情報復号部と、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出部と、前記導出されたインター予測情報候補からインター予測情報候補リストを構築する候補リスト構築部と、構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充部と、前記インター予測情報候補から１つのインター予測情報候補を選択して、その選択されたインター予測情報候補により前記復号対象の予測ブロックのインター予測を行う動き補償予測部とを備えることを特徴とする動画像復号装置を提供する。
動画像の各ピクチャを分割したブロック単位で動き補償予測を用いて前記動画像が符号化された符号化ビット列を復号する動画像復号方法であって、予め指定されたインター予測情報候補の数を示す情報を復号する予測情報復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、前記導出されたインター予測情報候補からインター予測情報候補リストを構築する候補リスト構築ステップと、構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、前記インター予測情報候補から１つのインター予測情報候補を選択して、その選択されたインター予測情報候補により前記復号対象の予測ブロックのインター予測を行う動き補償予測ステップとを備えることを特徴とする動画像復号方法を提供する。
動画像の各ピクチャを分割したブロック単位で動き補償予測を用いて前記動画像が符号化された符号化ビット列を復号する動画像復号プログラムであって、予め指定されたインター予測情報候補の数を示す情報を復号する予測情報復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、前記導出されたインター予測情報候補からインター予測情報候補リストを構築する候補リスト構築ステップと、構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、前記インター予測情報候補から１つのインター予測情報候補を選択して、その選択されたインター予測情報候補により前記復号対象の予測ブロックのインター予測を行う動き補償予測ステップとをコンピュータに実行させることを特徴とする動画像復号プログラムを提供する。
動画像が符号化された符号化ビット列を受信して復号する受信装置であって、動画像の各ピクチャを分割したブロック単位で動き補償予測を用いて前記動画像が符号化された符号化ビット列がパケット化された符号化ストリームを受信する受信部と、受信された前記符号化ストリームをパケット処理して元の符号化ビット列を復元する復元部と、復元された前記符号化ビット列から、予め指定されたインター予測情報候補の数を示す情報を復号する予測情報復号部と、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出部と、前記導出されたインター予測情報候補からインター予測情報候補リストを構築する候補リスト構築部と、構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充部と、前記インター予測情報候補から１つのインター予測情報候補を選択して、その選択されたインター予測情報候補により前記復号対象の予測ブロックのインター予測を行う動き補償予測部とを備えることを特徴とする受信装置を提供する。
動画像が符号化された符号化ビット列を受信して復号する受信方法であって、動画像の各ピクチャを分割したブロック単位で動き補償予測を用いて前記動画像が符号化された符号化ビット列がパケット化された符号化ストリームを受信する受信ステップと、受信された前記符号化ストリームをパケット処理して元の符号化ビット列を復元する復元ステップと、復元された前記符号化ビット列から、予め指定されたインター予測情報候補の数を示す情報を復号する予測情報数復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、前記導出されたインター予測情報候補からインター予測情報候補リストを構築する候補リスト構築ステップと、構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、前記インター予測情報候補から１つのインター予測情報候補を選択して、その選択されたインター予測情報候補により前記復号対象の予測ブロックのインター予測を行う動き補償予測ステップとを備えることを特徴とする受信方法を提供する。
動画像が符号化された符号化ビット列を受信して復号する受信プログラムであって、動画像の各ピクチャを分割したブロック単位で動き補償予測を用いて前記動画像が符号化された符号化ビット列がパケット化された符号化ストリームを受信する受信ステップと、受信された前記符号化ストリームをパケット処理して元の符号化ビット列を復元する復元ステップと、復元された前記符号化ビット列から、予め指定されたインター予測情報候補の数を示す情報を復号する予測情報数復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記インター予測情報候補を導出する予測情報導出ステップと、前記導出されたインター予測情報候補からインター予測情報候補リストを構築する候補リスト構築ステップと、構築された前記インター予測情報候補リストに含まれるインター予測情報候補の数が前記予め指定されたインター予測情報候補の数未満であった場合、前記インター予測情報候補リストに含まれるインター予測情報候補の数が前記予め指定されたインター予測情報候補の数に達するまで、繰り返して、予測モードが同じ値であり参照インデックスが同じ値であり動きベクトルが同じ値であるインター予測情報候補を、前記インター予測情報候補リストに追加する候補補充ステップと、前記インター予測情報候補から１つのインター予測情報候補を選択して、その選択されたインター予測情報候補により前記復号対象の予測ブロックのインター予測を行う動き補償予測ステップとをコンピュータに実行させることを特徴とする受信プログラムを提供する。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】